(57)【特許請求の範囲】
【請求項１】
パチンコ島台の内部に揚送筒が鉛直に支持され、該揚送筒の下部に該パチンコ島台の長手方向と直交する方向に屈曲して連なる短い全長の横送筒部を形成し、該揚送筒内にモータにより駆動される螺旋状回転体を設け、前記横送筒部の上部に研磨ペレットを該横送筒部内に流入させる開口を設け、該開口に流入させた研磨ペレットを前記横送筒部に流入したパチンコ球と該横送筒部内で合流させ、前記螺旋状回転体を回転させることにより該パチンコ球が該研磨ペレットとともに揚送されるようにしたことを特徴とするパチンコ球研磨揚送装置。
【請求項２】
パチンコ島台の内部に揚送筒が鉛直に支持され、揚送筒内にモータにより駆動されるパチンコ球揚送用螺旋状回転体を設け、該揚送筒の下部に全長が短い横送筒部を至端部が前記揚送筒の下部流入口と連なるように該パチンコ島台内底部であって該パチンコ島台の長手方向と直交する方向に設け、該横送筒部内にモータにより駆動されるパチンコ球横送用螺旋状回転体を設け、前記横送筒部の上部に研磨ペレットを該横送筒部内に流入させる開口を設け、該開口に流入させた研磨ペレットを前記横送筒部に流入したパチンコ球と該横送筒部内で合流させ、前記パチンコ球横送用螺旋状回転体および前記パチンコ球揚送用螺旋状回転体を回転させることにより該パチンコ球が該研磨ペレットとともに揚送されるようにしたことを特徴とするパチンコ球研磨揚送装置。
【請求項３】
横送筒部を揚送筒に向けて下傾する傾斜状に設けた請求項２に記載したパチンコ球研磨揚送装置。
【請求項４】
パチンコ島台の内部に揚送筒が鉛直に支持され、揚送筒内にモータにより駆動されるパチンコ球揚送用螺旋状回転体を設け、該揚送筒の下部に全長が短い横送筒部を至端部が前記揚送筒の下部流入口と連なるように該パチンコ島台内底部であって該パチンコ島台の長手方向と直交する方向に設け、該横送筒部内にモータにより駆動されるパチンコ球横送用螺旋状回転体を設け、該横送筒部の脇部にパチンコ球流込筺を設け、パチンコ球が該パチンコ球流込筺を経て該横送筒部に流入され、該横送筒部の上部に研磨ペレットを該横送筒部内に流入させる開口を設け、該開口に流入させた研磨ペレットを前記横送筒部に流入したパチンコ球と該横送筒部内で合流させ、前記パチンコ球横送用螺旋状回転体および前記パチンコ球揚送用螺旋状回転体を回転させることにより該パチンコ球が該研磨ペレットとともに揚送されるようにしたことを特徴とするパチンコ球研磨揚送装置。
【請求項５】
パチンコ島台の内部に左右一対の貯留タンクが設けられ、該貯留タンクの間に配置されるパチンコ球研磨揚送装置であり、鉛直に支持された揚送筒内にモータにより駆動されるパチンコ球揚送用螺旋状回転体を設け、全長が短い横送筒部を至端部が前記揚送筒の下部流入口と連なるように該パチンコ島台内底部であって該パチンコ島台の長手方向と直交する方向に設け、該横送筒部内にモータにより駆動されるパチンコ球横送用螺旋状回転体を設け、該横送筒部の両脇部にパチンコ球流込筺を設け、前記貯留タンクにあるパチンコ球を前記パチンコ球流込筺に導く傾斜樋を前記横送筒部を中間にして左右対称的に設け、前記横送筒部の上部に研磨ペレットを該横送筒部内に流入させる開口を設け、該開口に流入させた研磨ペレットを前記横送筒部に流入したパチンコ球と該横送筒部内で合流させ、前記パチンコ球横送用螺旋状回転体および前記パチンコ球揚送用螺旋状回転体を回転させることにより該パチンコ球が該研磨ペレットとともに揚送されるようにしたことを特徴とするパチンコ球研磨揚送装置。
【請求項６】
前記横送筒部の端部に鍔部を突設し、該横送筒部が載置固定された組付板の該横送筒部の端部に相当する部位に係合溝を形成し、モータ駆動部の回転出力軸が貫通する部位にフランジを設け、該フランジの一方の縁を前記係合溝に係合するとともに該フランジの他方の縁を前記鍔部にボルト止めすることにより、該横送筒部に該モータ駆動部を着脱可能に組み付けたことを特徴とする請求項２〜５のいずれかに記載したパチンコ球研磨揚送装置。
【発明の詳細な説明】
【技術分野】
【０００１】
本発明は、パチンコ球を揚送すると同時に研磨するパチンコ球研磨揚送装置に関するものである。
【背景技術】
【０００２】
多数のパチンコ機を並設してなるパチンコ遊技場のパチンコ島台は、周知のように内部に貯留タンクが設けられ、各パチンコ機から排出されたパチンコ球が球回収樋を通して該貯留タンクに集められ、該貯留タンクに溜まったパチンコ球は該パチンコ島台内に設けられたパチンコ球揚送装置によって上部タンクに揚送され、該パチンコ球が該上部タンクから球供給樋を通して各パチンコ機に供給されるようにしている。
【０００３】
特許文献１に示されたパチンコ球揚送装置は、パチンコ球と研磨ペレットとを合流させた状態で揚送装置により揚送されるようにすることで、パチンコ球の汚れを該研磨ペレットに付着させ、揚送と同時に該パチンコ球が研磨されるようにしたものである。
図６は、このようなパチンコ島台内に設けられる従来からのパチンコ球研磨揚送装置１００と、その左右両側に設けられた貯留タンク１０１ａおよび貯留タンク１０１ｂと、上部タンク１０２を示す。パチンコ球研磨揚送装置１００は、パチンコ島台の長手方向略中間位置に揚送筒１１０を鉛直に設け、該揚送筒１１０の上部に設けられたモータにより回転駆動されるパチンコ球揚送用螺旋状回転体１１１を該揚送筒１１０内に設けるとともに、該揚送筒の下端開口とエルボ１１２を介して連なる横送筒部１１３を該パチンコ島台の長手方向に沿うように組付板１２４上に設け、該横送筒部１１３内にモータ１１４によって回転駆動されるパチンコ球横送用螺旋状回転体１１５を設け、貯留タンク１０１ａと貯留タンク１０１ｂに貯留されたパチンコ球を傾斜樋１１６ａ，１１６ｂおよび該横送筒部の一側に設けられたパチンコ球流込筺１１７を経て該横送筒部１１３内に流入させ、流入したパチンコ球は該横送筒部１１３内からエルボ１１２を経て揚送筒１１０内に送り込まれ、回転する前記パチンコ球揚送用螺旋状回転体１１１によって上部タンク１０２に揚送されるようにしている。なお、１２０はペレットタンクで、該タンクから排出された研磨ペレットがパチンコ球流込筺１１７にてパチンコ球と合流し、合流した研磨ペレットは該パチンコ球ととともに揚送筒１１０内を通って上部タンク１０２に揚送されて該上部タンク１０２内でパチンコ球と分離される。そして、戻管１２１を通ってペレットタンク１２０に回収され循環する。なお、１２２ａ，１２２ｂはそれぞれ傾斜樋１１６ａ，１１６ｂに設けられた電動シャッターで、該電動シャッターを開閉することにより、貯留タンク１０１ａ，１０１ｂからのパチンコ球の流出が制御される。また、１２３ａ，１２３ｂは、この島台のパチンコ機（島台長手方向の略々中間部に設けられているパチンコ機）から排出されたパチンコ球を貯留タンク１０１ａ，１０１ｂに導くために設けられた傾斜状の球回収樋である。
また、特許文献２に示されたパチンコ球揚送装置は、揚送筒の下部を円弧状に湾曲させることにより、パチンコ球を該揚送筒の先端開口から流入させる構成であった。
【先行技術文献】
【特許文献】
【０００４】
【特許文献１】特許第２６１０１６４号公報
【特許文献２】特許第３７３９４２６号公報
【発明の概要】
【発明が解決しようとする課題】
【０００５】
ところで、パチンコ球研磨揚送装置１００は、パチンコ島台の各パチンコ機に滞りなく円滑にパチンコ球を供給すると同時に該各パチンコ機から排出されたパチンコ球を回収するため、該パチンコ島台の長手方向略中間位置に配置され、その左右両側に貯留タンク１０１ａおよび貯留タンク１０１ｂが設けられるが、図６に示した従来のパチンコ球研磨揚送装置１００では、揚送筒１１０の一方に横送筒部１１３が設けられ、該横送筒部１１３にパチンコ球流込筺１１７が設けられていた。このため、図示したように、一方の貯留タンク１０１ａと揚送筒１１０との距離ａが他方の貯留タンク１０１ｂと揚送筒１１０との距離ｂよりも大幅に長くなる。即ち、揚送筒１１０を貯留タンク１０１ａおよび貯留タンク１０１ｂから等距離に配置できない。前記球回収樋１２３ａ，１２３ｂや傾斜樋１１６ａ，１１６ｂの傾斜角度、および、貯留タンク１０１ａ，１０１ｂ内の上板１２４ａ，１２４ｂおよび底板１２５ａ，１２５ｂの傾斜角度は一定角度以上に保つ必要があることから、このような配置であると、貯留タンク１０１ａおよび貯留タンク１０１ｂに実際に貯留可能なパチンコ球数は、該タンク内の底板１２５ａ，１２５ｂと上板１２４ａ，１２４ｂ間の略三角形の空間（図５中に網掛部分で示した）に限られる。このため特に距離ａが長い貯留タンク１０１ａには充分な球量が貯留できないという問題があった。
【０００６】
また、このパチンコ球研磨揚送装置を点検、修理をするに際しては、モータ１１４とともにパチンコ球横送用螺旋状回転体１１５を横送筒部１１３内から引き抜く必要があり、距離ａが短いとパチンコ球横送用螺旋状回転体１１５を引き抜くスペースがなくなるので、こうした分解を必要とするメンテナンスが容易でないという問題がある一方、距離ａを長くすると上記のように貯留タンク１０１ａに貯留し得るパチンコ球数が一層少なくなり、多数のパチンコ機が必要とする十分な量のパチンコ球を貯留できなくなるという問題があった。
【０００７】
さらには、一般に遊技中に遊技者の足先がパチンコ島台の下に入るようにパチンコ島台の下縁部に足入れスペースを設けているが、上記距離ａおよび距離ｂの範囲は、これらの機器が邪魔となり足入れスペースを設けることができないので、上記距離ａ，ｂが長いと、足入れスペースを設け得る範囲がより限定されるという問題がある。
また、特許文献２に示されたパチンコ球研磨揚送装置では、揚送筒を急角度で湾曲させると内部の螺旋状回転体の回転に支障が生じるおそれがあるとともに、上記と同様の問題が生じる。
本発明はこのような問題点を解消しようとするものである。
【課題を解決するための手段】
【０００８】
そのために本発明に係るパチンコ球研磨揚送装置は、パチンコ島台の内部に揚送筒が鉛直に支持され、該揚送筒の下部に該パチンコ島台の長手方向と直交する方向に屈曲して連なる短い全長の横送筒部を形成し、該揚送筒内にモータにより駆動される螺旋状回転体を設け、前記横送筒部に流入させたパチンコ球が該螺旋状回転体を回転させることにより揚送されるようにしたことを特徴とする。
また、本発明に係るパチンコ球研磨揚送装置は、パチンコ島台の内部に揚送筒が鉛直に支持され、揚送筒内にモータにより駆動されるパチンコ球揚送用螺旋状回転体を設け、該揚送筒の下部に全長が短い横送筒部を至端部が前記揚送筒の下部流入口と連なるように該パチンコ島台内底部であって該パチンコ島台の長手方向と直交する方向に設け、該横送筒部内にモータにより駆動されるパチンコ球横送用螺旋状回転体を設け、該横送筒部に流入させたパチンコ球が該パチンコ球横送用螺旋状回転体および前記パチンコ球揚送用螺旋状回転体を回転させることにより揚送されるようにしたことを特徴とする。
また本発明は上記パチンコ球研磨揚送装置において、横送筒部を揚送筒に向けて下傾する傾斜状に設けたことを特徴とする。
また本発明はパチンコ島台の内部に揚送筒が鉛直に支持され、揚送筒内にモータにより駆動されるパチンコ球揚送用螺旋状回転体を設け、該揚送筒の下部に全長が短い横送筒部を至端部が前記揚送筒の下部流入口と連なるように該パチンコ島台内底部であって該パチンコ島台の長手方向と直交する方向に設け、該横送筒部内にモータにより駆動されるパチンコ球横送用螺旋状回転体を設け、該横送筒部の脇部にパチンコ球流込筺を設け、パチンコ球が該パチンコ球流込筺を経て該横送筒部に流入され、前記パチンコ球横送用螺旋状回転体および前記パチンコ球揚送用螺旋状回転体を回転させることにより揚送されるようにしたことを特徴とする。
また本発明はパチンコ島台の内部に左右一対の貯留タンクが設けられ、該貯留タンクの間に配置されるパチンコ球研磨揚送装置であり、鉛直に支持された揚送筒内にモータにより駆動されるパチンコ球揚送用螺旋状回転体を設け、全長が短い横送筒部を至端部が前記揚送筒の下部流入口と連なるように該パチンコ島台内底部であって該パチンコ島台の長手方向と直交する方向に設け、該横送筒部内にモータにより駆動されるパチンコ球横送用螺旋状回転体を設け、該横送筒部の両脇部にパチンコ球流込筺を設け、前記貯留タンクにあるパチンコ球を前記パチンコ球流込筺に導く傾斜樋を前記横送筒部を中間にして左右対称的に設けてなることを特徴とする。
また本発明は上記パチンコ球研磨揚送装置において、前記横送筒部の上部に研磨ペレットを該横送筒部内に流入させる開口を設け、該研磨ペレットとパチンコ球とを該横送筒部内で合流させるようにしたことを特徴とする。
また本発明は上記パチンコ球研磨揚送装置において、前記横送筒部の端部に鍔部を突設し、該横送筒部が載置固定された組付板の該横送筒部の端部に相当する部位に係合溝を形成し、モータ駆動部の回転出力軸が貫通する部位にフランジを設け、該フランジの一方の縁を前記係合溝に係合するとともに該フランジの他方の縁を前記鍔部にボルト止めすることにより、該横送筒部に該モータ駆動部を着脱可能に組み付けたことを特徴とする。
【発明の効果】
【０００９】
本発明によれば、パチンコ球研磨揚送装置とその左右の貯留タンクとの距離が短縮され、該各タンクに貯留可能なパチンコ球量を増加できる。また、スペース的に余裕ができ、点検、修理、分解、組立等のメンテナンスが容易となる。
【図面の簡単な説明】
【００１０】
【図１】本発明に係るパチンコ球研磨揚送装置の正面図。
【図２】図１のＡ−Ａ線断面拡大矢視図。
【図３】図２のＢ−Ｂ線断面図。
【図４】図３のＣ−Ｃ線断面拡大矢視図。
【図５】本発明に係るパチンコ球研磨揚送装置の部分断面側面図。
【図６】従来のパチンコ球研磨揚送装置の正面図。
【発明を実施するための形態】
【００１１】
次に本発明の実施形態を図１〜図４に従い説明する。１ａ，１ｂはパチンコ島台の内部に設けられた左右一対の貯留タンク、２は該貯留タンク１ａ，１ｂの間に配置したパチンコ球研磨揚送装置、３は該パチンコ球研磨揚送装置の上部に設けられた上部タンクで、該上部タンク３からパチンコ島台の各パチンコ機にパチンコ球ｔが供給される。パチンコ球研磨揚送装置２は、パチンコ島台の長手方向略中間位置に揚送筒４を鉛直に設け、該揚送筒４内にパチンコ球揚送用螺旋状回転体５が設けられ、該パチンコ球揚送用螺旋状回転体５は前記上部タンク３の上部に設けられたモータ（図示せず）により回転駆動される。
【００１２】
該揚送筒４は下部流入口６が形成され、該下部流入口６と至端部が連なるように全長が短い横送筒部７を該パチンコ島台内底部であって該パチンコ島台の長手方向と直交する方向に組付板２０上に固定している。該横送筒部７の端部の上側には鍔部７ａが突設され、該組付板２０の該横送筒部７の端部の下側に相当する部位に係合溝２０ａが形成される。
９は減速機が収容されたギヤボックス９ａとその上部に固設されたモータ１０とからなるモータ駆動部で、該モータ駆動部９の回転出力軸１０ａが貫通する部位にフランジ１０ｂが設けられ、該フランジ１０ｂの下縁を前記係合溝２０ａに係合するとともに該フランジ１０ｂの上縁を前記鍔部７ａにボルト１０ｃにより締着することにより、該モータ駆動部９が該横送筒部７に着脱可能に組み付けられる。これにより該回転出力軸１０ａの先端に設けられたパチンコ球横送用螺旋状回転体８が該横送筒部７内に収容され、モータ１０の原動力で該パチンコ球横送用螺旋状回転体８が回転駆動されるようにしている。
【００１３】
また、前記横送筒部７の両脇部にパチンコ球流込筺１１ａ，１１ｂを設け、該パチンコ球流込筺１１ａ，１１ｂと横送筒部７とを連通状にするとともに、前記貯留タンク１ａ，１ｂと該パチンコ球流込筺１１ａ，１１ｂとを傾斜樋１２ａ，１２ｂによって連通させ、該貯留タンク１ａ，１ｂにあるパチンコ球ｔが該パチンコ球流込筺１１ａ，１１ｂに導かれるようにする。なお、該傾斜樋１２ａ，１２ｂには電動シャッター１３ａ，１３ｂが設けられる。また、該パチンコ球流込筺１１ａ，１１ｂの上面開口に異物除去用の簀子状フィルター１４ａ，１４ｂが設けられる。
【００１４】
また、横送筒部７の上壁面に開口１５を形成し、該開口上にペレットタンク１６を設け、該ペレットタンク１６から該開口１５を通り該横送筒部７中に研磨ペレットｐが流入するようにしている。なお、該ペレットタンク１６には前記上部タンク３内にてパチンコ球ｔから分離された研磨ペレットｐが戻管１７を通って回収される。
なお、上部タンク３内がパチンコ球で満杯になったときに該パチンコ球を貯留タンク１ａまたは１ｂに戻すためのオーバーフロー管が必要に応じて設けられるが、そのオーバーフロー管は図示省略する。
【００１５】
このように構成したパチンコ球研磨揚送装置では、貯留タンク１ａ，１ｂ中のパチンコ球ｔが傾斜樋１２ａ，１２ｂを通してパチンコ球流込筺１１ａ，１１ｂに導かれると、該パチンコ球ｔは横送筒部７に流入し、該横送筒部７内のパチンコ球横送用螺旋状回転体８がモータ１０によって所定方向に回転駆動されることで該パチンコ球ｔは該横送筒部７上部のペレットタンク１６から供給された前記研磨ペレットｐとともに揚送筒４の下部流入口６の方向に搬送される。そして、該揚送筒４内のパチンコ球揚送用螺旋状回転体５が所定方向に回転駆動されることにより該パチンコ球ｔは該研磨ペレットｐと一緒に上部タンク３に揚送される。この揚送時にパチンコ球ｔが研磨ペレットｐと接触することにより、パチンコ球ｔが研磨され、該研磨ペレットｐは上部タンク３内にてパチンコ球ｔと分離し、戻管１７を通ってペレットタンク１６に回収される。
【００１６】
本発明に係るパチンコ球研磨揚送装置は、上記のように横送筒部７を配設したので、図１に示したように、左右一対の傾斜樋１２ａ，１２ｂを横送筒部７を中間にして左右対称的に設けることができ、両貯留タンク１ａ，１ｂを該横送筒部７から等距離に配置することができる。このため、左右で共通の部品を使用することが可能となり、製造コストを軽減させる。
【００１７】
また、該横送筒部７はパチンコ島台の長手方向と直交する方向に設けられているので、該パチンコ島台の前記モータ駆動部９が位置する部分の腰板を外すことで、その外側にスペースができる。このため、前記ボルト１０ｃを外し、フランジ１０ｂ下縁を前記係合溝２０ａから抜脱させることで、該モータ駆動部９をパチンコ球横送用螺旋状回転体８とともにこのスペースに引き出すことができる。このようにモータ駆動部９を引き出す十分なスペースがあるとともに、ボルト１０ｃを外し、係合溝２０ａからフランジ１０ｂを外すだけで、モータ駆動部９を脱着できることから、該モータ駆動部９の点検や修理が容易になる。また、モータ駆動部９を組み付けるに際してもフランジ１０ｂの下縁を前記係合溝２０ａさせてからフランジ１０ｂの上縁にボルト１０ｃを貫通させることで位置合わせが容易になる。
【００１８】
また、揚送筒４から近距離に貯留タンク１ａ，１ｂを配設することができるので、図１中に網掛部分で示したように底板１８ａ，１８ｂと上板１９ａ，１９ｂ間の貯留空間が大きくなり従来よりも多量のパチンコ球ｔを該貯留空間に貯留できるようになる。
また、両貯留タンク１ａ，１ｂの間隔が従来よりも大幅に狭くなるので、このパチンコ球研磨揚送装置が設けられたパチンコ島台では、足入れスペースを広範囲に形成することが可能になり、より多くのパチンコ機で遊技者がその足入れスペースに足先を差し入れて快適に遊技できるようになる。
【００１９】
一方、図５に要部を示したパチンコ球研磨揚送装置は、横送筒部７を揚送筒４に向けて下傾する傾斜状に設けてなるものである。なお、同図中の上記実施形態と同一部分は同一符号にて示す。このように横送筒部７を下傾状に設けることによっては、該横送筒部７に流入したパチンコ球および研磨ペレットが自重によっても揚送筒４に向かうので、移動を一層スムースにすることができる。
【符号の説明】
【００２０】
１ａ，１ｂ        貯留タンク
２                パチンコ球研磨揚送装置
３                上部タンク
４                揚送筒
５                パチンコ球揚送用螺旋状回転体
６                下部流入口
７                横送筒部
７ａ              鍔部
８                パチンコ球横送用螺旋状回転体
９                モータ駆動部
９ａ              ギヤボックス
１０              モータ
１０ａ            回転出力軸
１０ｂ            フランジ
１０ｃ            ボルト
１１ａ，１１ｂ    パチンコ球流込筺
１２ａ，１２ｂ    傾斜樋
１３ａ，１３ｂ    電動シャッター
１４ａ，１４ｂ    簀子状フィルター
１５              開口
１６              ペレットタンク
１７              戻管
２０              組付板
２０ａ            係合溝
ｔ                パチンコ球
ｐ                研磨ペレット
【図１】
0006527702.tif 000002
【図２】
0006527702.tif 000003
【図３】
0006527702.tif 000004
【図４】
0006527702.tif 000005
【図５】
0006527702.tif 000006
【図６】
0006527702.tif 000007